(57)【要約】【課題】  マルチメディア機能を備えた印刷物装置、およびその印刷物装置のマルチメディア機能を実行する方法を提供する。【解決手段】  印刷物装置は、静的な媒体に印刷される複数のテキストおよび／またはグラフィクス、および少なくとも１つの識別コードを有する。識別コードは、テキストおよび／またはグラフィクスのリファレンス情報を識別するために使われる。印刷物装置は、更に、記憶媒体、入力装置、プロセッサ、および出力装置を有し得る。リファレンス情報は、記憶媒体に格納される。入力装置は、識別コードを検出するために働く。入力装置が識別コードを検出する場合、プロセッサは、リファレンス情報を検索するために、記憶媒体および入力装置と電気的に通信する。出力装置は、プロセッサと電気的に通信し、リファレンス情報を出力するために、プロセッサによって制御される。【選択図】            図１
2006072955.tif 000002
【特許請求の範囲】
【請求項１】
マルチメディア機能を有する印刷物装置であって、
静的な媒体に印刷される、複数のテキストおよび／またはグラフィクス、および少なくとも１つの識別コードを有しており、
識別コードは、テキストおよび／またはグラフィクスのリファレンス情報を識別するためのものである印刷物装置。
【請求項２】
リファレンス情報を格納するための記憶媒体と、
記憶媒体と電気的に通信可能であって、識別コードを検出するために働く入力装置と、
記憶媒体および入力装置と電気的に通信可能であって、入力装置が識別コードを検出する場合にリファレンス情報を検索するために働くプロセッサと、
プロセッサと電気的に通信可能であって、リファレンス情報を出力するためにプロセッサによって制御される出力装置と、
を更に有する請求項１に記載の印刷物装置。
【請求項３】
前記記憶媒体は、ハードディスク、フレキシブルディスク、ＣＤ、またはＤＶＤを含む請求項２に記載の印刷物装置。
【請求項４】
前記記憶媒体は、リモートサーバを含む請求項２に記載の印刷物装置。
【請求項５】
前記プロセッサは、コンピュータの中央処理装置を含む請求項２に記載の印刷物装置。
【請求項６】
前記入力装置は、光学式のペンを含む請求項２に記載の印刷物装置。
【請求項７】
前記出力装置は、ディスプレイスクリーンを含む請求項２に記載の印刷物装置。
【請求項８】
前記出力装置は、スピーカ、またはイヤホンを含む請求項２に記載の印刷物装置。
【請求項９】
前記静的な媒体は、本、雑誌、新聞、商業広告ビラ、または１枚の紙を含む請求項１に記載の印刷物装置。
【請求項１０】
印刷物装置のマルチメディア機能を実行する方法であって、
静的な媒体を提供する段階と、
複数のテキストおよび／またはグラフィクスを静的な媒体に印刷する段階と、
テキストおよび／またはグラフィクスの少なくとも一部のリファレンス情報を識別するための、少なくとも１つの識別コードを静的な媒体に印刷する段階と、
記憶媒体にリファレンス情報を格納する段階と、
識別コードをスキャンする段階と、
リファレンス情報を取り出す段階と、
を有する方法。
【請求項１１】
前記静的な媒体を提供する段階は、本、雑誌、商業広告物、または新聞を提供する段階を含む請求項１０に記載の方法。
【請求項１２】
前記識別コードを静的な媒体に印刷する段階は、テキストおよび／またはグラフィクスの部分に隣接して前記識別コードを印刷する段階を含む請求項１０に記載の方法。
【請求項１３】
前記リファレンス情報を格納する段階は、リファレンス情報をハードディスク、フレキシブルディスク、ＣＤ、ＤＶＤ、メモリ、またはリモートサーバに格納する段階を含む請求項１０に記載の方法。
【請求項１４】
前記識別コードをスキャンする段階は、光学式のペンによって識別コードをスキャンする段階を含む請求項１０に記載の方法。
【請求項１５】
前記リファレンス情報を取り出す段階は、ディスプレイスクリーンによってリファレンス情報を取り出す段階を含む請求項１０に記載の方法。
【請求項１６】
前記リファレンス情報を取り出す段階は、スピーカまたはイヤホンによってリファレンス情報を取り出す段階を含む請求項１０に記載の方法。
【発明の詳細な説明】
【技術分野】
【０００１】
本発明は、マルチメディア機能を備えた印刷物装置、および印刷物装置のマルチメディア機能を実行する方法に関し、特に、テキストおよび／またはグラフィクスと、テキストおよび／またはグラフィクスのリファレンス情報を識別するための識別コードとを有する印刷物装置に関する。
【背景技術】
【０００２】
従来の本または刊行物は、テキストおよび／またはグラフィクスの形で内容を提供しており、それにより、内容のいくらかがしばしば要約されて、理解するのが困難である。このように、要約された内容の参照あるいは翻訳が、完全に理解する読者のために必要である。単一の視覚的効果を提供する従来の刊行物と比較して、コンピュータのビデオ、オーディオ、音、および光の効果を利用する電子的刊行物は、読者にずっと用途が広い内容を提供する。しかし、電子的刊行物は、モニタないしディスプレイによって読むことができるのみである。また、電子的刊行物を読むための場所は非常に制限される。
【発明の開示】
【発明が解決しようとする課題】
【０００３】
本発明は、上述の課題を解決するためになされたものであり、本発明の目的は、マルチメディア機能を備えた印刷物装置、およびその印刷物装置のマルチメディア機能を実行する方法を提供することである。
【課題を解決するための手段】
【０００４】
本発明の印刷物装置は、静的な媒体に印刷される、複数のテキストおよび／またはグラフィクス、および少なくとも１つの識別コードを有しており、識別コードは、テキストおよび／またはグラフィクスのリファレンス情報を識別するためのものである。印刷物装置は、更に、記憶媒体、入力装置、プロセッサ、および出力装置を有し得る。リファレンス情報は、記憶媒体に格納される。入力装置は、識別コードを検出するために働く。入力装置が識別コードを検出する場合、プロセッサは、リファレンス情報を検索するために、記憶媒体および入力装置と電気的に通信する。出力装置は、プロセッサと電気的に通信し、リファレンス情報を出力するために、プロセッサによって制御される。記憶媒体は、ハードディスク、フレキシブルディスク、ＣＤ、またはＤＶＤを含む。あるいは、記憶媒体は、リモートサーバを含んでもよい。プロセッサは、コンピュータの中央処理装置を含む。入力装置は、光学式のペンを含み、出力装置は、ディスプレイスクリーン、スピーカ、またはイヤホンを含む。静的な媒体は、本、雑誌、新聞、商業広告ビラ、または１枚の紙を含む。
【０００５】
印刷物装置のマルチメディア機能を実行する方法は、以下のステップを含む。本、雑誌、新聞、商業広告ビラ、または１枚の紙のような静的な媒体が提供される。複数のテキストおよび／またはグラフィクスが、静的な媒体に印刷される。テキストおよび／またはグラフィクスの少なくとも一部のリファレンス情報を識別するための、少なくとも１つの識別コードが、静的な媒体に印刷される。リファレンス情報が、記憶媒体に格納される。リファレンス情報にアクセスするために識別コードがスキャンされ、そして、一旦識別コードがスキャンされると、リファレンス情報が検索される。識別コードを印刷するステップは更に、テキストおよび／またはグラフィクスの部分に隣接して識別コードを印刷することを含む。
【０００６】
本発明のこれらの、そしてまた他の目的は、以下の好ましい実施形態の詳細な説明を読んだ後、当業者にとって明らかになる。
【０００７】
前述の概説および以下の詳細な説明は、例示的であり、かつ、特許請求の範囲に記載された本発明の更なる説明を提供することを意図していると理解され得る。
【０００８】
これらは、本発明の他の特徴とともに、図面を参照して明瞭になる。
【発明の効果】
【０００９】
本発明によれば、マルチメディア機能を備えた印刷物装置、およびその印刷物装置のマルチメディア機能を実行する方法を提供することが可能となる。
【００１０】
したがって、ユーザは、静的な媒体に印刷されているテキストおよび／またはグラフィクスを読むことが可能なだけでなく、当該テキストおよび／またはグラフィクスに関連する情報に容易にアクセスすることが可能となる。
【発明を実施するための最良の形態】
【００１１】
本発明の好ましい実施形態を詳細に参照する。添付の図面においてその実施例が示されている。可能な場合には、同じ参照番号が、同一または類似の部分を参照するために、図面および説明において使われる。
【００１２】
図１および図２は、本発明の第１実施形態および第２実施形態における印刷物装置の操作状態を示す。図示のように、印刷物２は、コンピュータ１の入力装置１０および出力装置１１と共に使用される。
【００１３】
静的な媒体としての印刷物２は、テキストおよびグラフィクスが単一の平面に印刷され得る、一般の本、雑誌、新聞、または他の紙形態の媒体を含む。この実施形態において、印刷物２は、テキストが印刷される複数ページの本を含む。
【００１４】
ユーザまたは読者が印刷物２に印刷されているテキストを読む間にさらなる情報にアクセスするために、当該情報は、コンピュータのハードディスク、フレキシブルディスク、ＣＤ、またはＤＶＤなどの記憶装置に格納され得る。あるいは、情報は、コンピュータに接続しているネットワークから検索され得る。したがって、さらなる情報は、リモート（遠隔の）サーバから得られることができる。したがって、本発明によって提供されるマルチメディア機能を備えた印刷物装置はまた、リモートサーバを同様に統合することによって構成され得る。
【００１５】
好ましくは、記憶装置またはリモートサーバに格納される情報は、本２に印刷されたテキスト２０の、翻訳、詳細な説明、または関連文献を含む。情報は、デジタル化されて、続いてコンピュータ１のオーディオ、ビデオ、音、および光の効果によって提示される。テキスト２０および情報をリンクまたは相互接続するために、識別コード２１が、本２の各ページまたは選択されたページに印刷される。識別コード２１は、コンピュータ１の入力装置１０によって読み取り可能なバーコードなどの種々の形態で印刷されることができる。一旦、入力装置１０がコンピュータ１において識別コード２１を検出して入力すると、識別コード２１によって表示される情報が、コンピュータ１によって検索されて、出力装置１１によって表示される。したがって、読者は、本２に印刷されているテキスト２０を読むことが可能なだけでなく、コンピュータの出力装置１１により、テキスト２０に関連する情報にアクセスすることも可能となる。
【００１６】
例えば、印刷物が音楽家の生涯および功績などを記述している本を含む場合、音楽家の生涯、経験、および功績は、本に記載されているテキストまたはグラフィクスによって提供され得る。テキストが所定の記事あるいは音楽家によって作られた音楽に言及している場合、そのような記事あるいは音楽は、識別コード２１にコード化されることができる。コンピュータに識別コードを入力することによって、上記の記事または音楽は、コンピュータの出力装置によって自動的に表示され得る。読者は、更なる知識を得ることが可能であり、あるいは音楽家の作品を享受することが可能である。
【００１７】
コンピュータの入力装置１０は、図１に示されるようなハードな導線によってコンピュータに接続される光学式のペン、あるいは図２に示されるような無線トランシーバを含む。更に、出力装置１１は、図１および図２に示されるようなスクリーン、およびスピーカなどの他のデバイスを含む。コンピュータ１は、例えば、携帯情報端末（ＰＤＡ）、デスクトップコンピュータ、またはラップトップコンピュータを含む。
【００１８】
本開示は、本発明の代表的な実施形態を提供する。本開示の有効範囲は、これらの代表的な実施形態によって限定されるものではない。形状、構成、寸法、材料の種類、あるいは製造工程における変更などの、明細書によって明示的に提供されているかあるいは明細書に含まれている、多くの変更は、本開示からみて当業者により実施され得る。
【図面の簡単な説明】
【００１９】
【図１】本発明による印刷物装置の操作状態を示す。
【図２】本発明による印刷物装置の他の操作状態を示す。
【符号の説明】
【００２０】
１    コンピュータ、
２    印刷物／本（静的な媒体）、
１０    入力装置、
１１    出力装置、
２０    テキスト、
２１    識別コード。
【図１】
2006072955.tif 000003
【図２】
2006072955.tif 000004